(57)【要約】      （修正有）【課題】過電圧保護機能を具える電源供給装置を提供する。【解決手段】電源変換ユニット３０、第１開閉部材３６、補償ユニット３４、制御器３２及び過電圧保護ユニット３８から構成され、電源変換システムに対して主電源出力端及び待機電源出力端を接続する。過電圧保護ユニットは、第１、第２及び第３コンパレータ３８０、３８２，３８４を具えてそれぞれ基準電圧Ｖｒｅｆ１、Ｖｒｅｆ２、Ｖｒｅｆ３に対して対比して信号を出力し、電源供給装置の主電源端電圧、待機電源電圧及び電源変換ユニットの電源出力電圧を制御する。【選択図】図２
0003191612.tif 000002
【実用新案登録請求の範囲】
【請求項１】
電源変換システムに電気的に接続される過電圧保護機能を具える電源供給装置であって、上記電源変換システムに接続する主電源出力端及び待機電源出力端を具え、
電源出力端を有する直流/直流電源変換器と、
該電源出力端及び上記主電源出力端に電気的に接続する第１センシング抵抗器、該電源出力端及び該待機電源出力端に電気的に接続する第２センシング抵抗器とを具える電源変換ユニットと、
上記主電源出力端に電気的に接続する補償ユニットと、
上記第１センシング抵抗器と主電源出力端の間に設けられた第１開閉部材と、
上記補償ユニット及び電源変換ユニットに電気的に接続する制御器と、
過電圧保護ユニットとから構成され、
上記過電圧保護ユニットは、第１、第２及び第３コンパレータを具え、
上記第１コンパレータは、２つの入力端及び１つの出力端を具えて、その一つの入力端が上記主電源出力端に電気的に接続されると共に出力端が前記第１開閉部材に電気的に接続され、
上記第２コンパレータは、２つの入力端及び１つの出力端を具えて、その１つの入力端が上記待機電源出力端に電気的に接続され、
上記第３コンパレータは、２つの入力端及び１つの出力端を具えて、その１つの入力端が上記電源出力端に電気的に接続されると共に、その出力端が上記補償ユニットに電気的に接続され、
これらの各コンパレータの他の入力端における基準電圧に対して、主電源出力端の電圧、待機電源出力端の電圧、及び電源出力端の電圧を対比して、前記第１開閉部材、待機電源出力制御手段、及び前記補償ユニットに出力する、
過電圧保護機能を具える電源供給装置。
【請求項２】
前記電源変換ユニットは、その電源出力端及び該第２センシング抵抗器の間に電気的に接続される調節器を更に備える請求項１に記載の過電圧保護機能を具える電源供給装置。
【請求項３】
前記補償ユニットは、抵抗回路及び隔離部材を具え、該抵抗回路は該主電源出力端に電気的に接続し、該隔離部材は該抵抗回路及び前記制御器に電気的に接続される請求項２に記載の過電圧保護機能を具える電源供給装置。
【請求項４】
前記隔離部材は、信号発信端及び信号受信端を具え、該信号発信端は、該抵抗回路に電気的に接続され、該信号受信端は、該制御器に電気的に接続される請求項３に記載の過電圧保護機能を具える電源供給装置。
【請求項５】
前記第３コンパレータの出力端は、前記補償ユニットの抵抗回路及び前記隔離部材の信号発信端に電気的に接続され、該コンパレータに接続された電源出力端の電圧と第３基準電圧とを対比して該隔離部材の信号発信端から信号を出力し、上記信号受信端から前記制御器に送ることにより電源変換ユニットを制御する、
請求項４に記載の過電圧保護機能を具える電源供給装置。
【請求項６】
前記隔離器が光結合器である請求項５に記載の過電圧保護機能を具える電源供給装置。
【請求項７】
前記直流/直流電源変換器がＬＬＣ電源変換器である請求項６に記載の過電圧保護機能を具える電源供給装置。
【請求項８】
前記第１コンパレータのもう１つの入力端は、第１基準電圧を入力させ、該第２コンパレータのもう１つの入力端は、第２基準電圧を入力させ、該第３コンパレータのもう１つの入力端は、第３基準電圧を入力させて、それぞれ、主電源出力端、待機電源出力端及び電源出力端と対比せしめる、請求項７に記載の過電圧保護機能を具える電源供給装置。
【請求項９】
更に、前記主電源出力端及び該補償ユニットを電気的に接続する第２開閉部材を具え、過電圧保護機能試験の際に開放する請求項８に記載の過電圧保護機能を具える電源供給装置。
【考案の詳細な説明】
【技術分野】
【０００１】
本考案は、電源供給装置に関し、特に、過電圧保護機能を具える電源供給装置に関する。
【背景技術】
【０００２】
図１に示すものは、従来の過電圧保護機能を具える電源供給装置である。これらの過電圧保護機能を具える電源供給装置１は、電源変換ユニット１０、制御器１２、補償ユニット１４、第１開閉部材１６、過電圧保護ユニット１８及び第２開閉部材２０を含む。
【０００３】
電源変換ユニット１０は、主電源出力端ＶＡ及び待機電源出力端ＶＢを具え、主電源出力端ＶＡ及び待機電源出力端ＶＢは、それぞれ電力を電源変換システム（図示せず）へ出力し、電源変換システムの動作時の電力を提供することに用いられる。そのうち、電源変換システムの動作が待機モードの時、待機電源出力端ＶＢのみが電力を電源変換システムに出力し、電源変換システムの動作が非待機モードの時、主電源出力端ＶＡ及び待機電源出力端ＶＢがそれぞれ電力を電源変換システムに出力する。即ち、電源供給ユニット１０は、電源供給システムが待機状態で動作しているか否かに基づき、待機電源出力端ＶＢのみに電力を出力するか、待機電源出力端ＶＢ及び主電源出力端ＶＡが同時に電力を出力するかを決定し、省エネルギーの効果を達成する。
【０００４】
電源変換ユニット１０は、直流/直流電源変換器１００、調節器１０２、第１センシング抵抗器Ｒｓ１及び第２センシング抵抗器Ｒｓ２を具える。
直流/直流電源変換器１００は、電源出力端Ｖｏを有する。第１センシング抵抗器Ｒｓ１は、電源出力端Ｖｏ及び主電源出力端ＶＡの間に位置し、電源出力端Ｖｏ及び主電源出力端ＶＡを電気的に接続する。調節器１０２は、電源出力端Ｖｏに電気的に接続し、第２センシング抵抗器Ｒｓ２は、調節器１０２及び待機電源出力端ＶＢの間に位置して調節器１０２及び待機電源出力端ＶＢに電気的に接続する。
【０００５】
制御器１２は、電源変換ユニット１０の直流/直流電源変換器１００に電気的に接続し、直流/直流電源変換器１００の電源変換状態を制御することに用いられ、直流/直流電源変換器１００から出力される電力の電圧値を調整する。
【０００６】
補償ユニット１４は、主電源出力端ＶＡ及び制御器１２に電気的に接続する。補償ユニット１４は、抵抗回路１４０及び隔離器１４２を具え、抵抗回路１４０は、主電源出力端ＶＡに電気的に接続する。隔離器１４２は、信号発信端１４２０及び信号受信端１４２２を具え、信号発信端１４２０は、抵抗回路１４０に電気的に接続し、信号受信端１４２２は、制御器１２に電気的に接続する。制御器１２は、隔離器１４２の信号受信端１４２２により伝達される信号に基づき、直流/直流電源変換器１００の電源変換状態を調整する。
【０００７】
第１開閉部材１６は、主電源出力端ＶＡ及び第１センシング抵抗器Ｒｓ１の間に位置し、主電源出力端ＶＡ、第１センシング抵抗器Ｒｓ１と並列接続を形成する。
【０００８】
過電圧保護ユニット１８は、第１コンパレータ１８０及び第２コンパレータ１８２を具える。第１コンパレータ１８０は、２つの入力端及び１つの出力端を具え、第１コンパレータ１８０の１つの入力端は、主電源出力端ＶＡに電気的に接続し、第１コンパレータ１８０のもう１つの入力端は、第１基準電圧Ｖｒｅｆ１を入力させ、第１コンパレータ１８０の出力端は、第１開閉部材１６に電気的に接続する。
第１コンパレータ１８０は、主電源出力端ＶＡが出力する電力及び第１基準電圧Ｖｒｅｆ１の差値に基づき、第１開閉部材１６の開閉状態を制御し、直流/直流電源変換器１００の出力する電力が主電源出力端ＶＡを通過して電源変換システムに伝達されるかを決定する。第２コンパレータ１８２は、２つの入力端及び１つの出力端を具え、第２コンパレータ１８２の１つの入力端は、待機電源出力端ＶＢに電気的に接続し、第２コンパレータ１８２のもう１つの入力端は、第２基準電圧Ｖｒｅｆ２を入力させ、第２コンパレータ１８２は、待機電源出力端ＶＢの出力する電圧値及び第２基準電圧Ｖｒｅｆ２を比較し、待機電源出力端ＶＢが出力する電力を調整する。
【０００９】
第２開閉部材２０は、主電源出力端ＶＡ及び補償ユニット１４の間に電気的に接続される。
【００１０】
電源供給装置１の過電圧保護試験を行う時、第２開閉部材２０は、開放状態になり、補償ユニット１４は、主電源出力端ＶＡが出力する電力を制御器１２にフィードバックし、主電源出力端ＶＡが出力する電力を絶えず上昇させ、同時に待機電源出力端ＶＢが出力する電力も絶えず上昇する。
【先行技術文献】
【特許文献】
【００１１】
【特許文献１】特開平５−２０７６４６号公報
【考案の概要】
【考案が解決しようとする課題】
【００１２】
電圧保護ユニット１８の第１コンパレータ１８０の入力端が入力する主電源出力端電圧ＶＡが第１基準電圧Ｖｒｅｆ１より高い時、第１コンパレータ１８０の出力端は、信号を送って第１開閉部材１６を開放させ、主電源出力端ＶＡが電力を電源変換システムに出力することを回避する。また、電源出力端Ｖｏが出力する電力が所定値より高い時、直流/直流電源変換器１００は、電源変換を停止し、即ち、電源供給装置１に電力供給を停止させ、このようにして、電源変換システムも動作を行うことができなくなる。
【課題を解決するための手段】
【００１３】
本考案が開示する内容の技術態様は、過電圧保護を具える電源供給装置を提供することである。
【００１４】
過電圧保護を具える電源供給は、電源変換システムに電気的に接続し、電源供給装置は、電源供給ユニット、第１開閉部材、補償ユニット、制御器及び過電圧保護ユニットを含む。電源供給ユニットは、主電源出力端及び待機電源出力端を含み、主電源出力端及び待機電源出力端は、電源変換システムに電気的に接続する。電源供給ユニットは、直流/直流電源変換器、第１センシング抵抗器及び第２センシング抵抗器を含む。直流/直流電源変換器は、電源出力端を有し、第１センシング抵抗器は、電源出力端及び主電源出力端に電気的に接続し、第２センシング抵抗器は、電源出力端及び待機電源出力端に電気的に接続する。第１開閉部材は、第１センシング抵抗器及び主電源出力端に電気的に接続し、補償ユニットは、主電源出力端に電気的に接続し、制御器は、補償ユニット及び電源供給ユニットに電気的に接続する。
【００１５】
過電圧保護ユニットは、第１コンパレータ、第２コンパレータ及び第３コンパレータを含み、第１コンパレータは、２つの入力端及び１つの出力端を含み、第１コンパレータの１つの入力端は、主電源出力端に電気的に接続し、第１コンパレータの出力端は、待機電源出力端に電気的に接続する。第２コンパレータは、２つの入力端及び１つの出力端を含み、第２コンパレータの１つの入力端は、待機電源出力端に電気的に接続する。第３コンパレータは、２つの入力端及び１つの出力端を含み、第３コンパレータの１つの入力端は、電源出力端に電気的に接続し、第３コンパレータの出力端は、補償ユニットに電気的に接続する。
【００１６】
本考案のその他の実施方式に基づき、電源供給ユニットは、調節器を更に含み、電源出力端及び第２センシング抵抗器の間に電気的に接続する。
【００１７】
本考案のその他の実施方式に基づき、補償ユニットは、抵抗回路及び隔離部材を含み、抵抗回路は、主電源出力端に電気的に接続し、隔離部材は、抵抗回路及び制御器に電気的に接続する。
【００１８】
本考案のその他の実施方式に基づき、隔離部材は、信号発信端及び信号受信端を含み、信号発信端は、抵抗回路に電気的に接続し、信号受信端は、制御器に電気的に接続する。
【００１９】
本考案のその他の実施方式に基づき、第３コンパレータの出力端は、抵抗回路及び各部材の信号発信端に電気的に接続する。
【００２０】
本考案のその他の実施方式に基づき、光隔離器は、光結合器である。
【００２１】
本考案のその他の実施方式に基づき、直流/直流電源変換器は、ＬＬＣ電源変換器である。
【００２２】
本考案のその他の実施方式に基づき、第１コンパレータのもう１つの入力端は、第１基準電圧を入力させ、第２コンパレータのもう１つの入力端は、第２基準電圧を入力させ、第３コンパレータのもう１つの入力端は、第３基準電圧を入力させる。
【００２３】
本考案のその他の実施方式に基づき、第２開閉部材を更に含み、主電源出力端及び補償ユニットに電気的に接続する。
【考案の効果】
【００２４】
電源供給装置３の過電圧保護機能の試験を行う時、第２開閉部材４０が開放状態になり、電源出力端Ｖｏが出力する電力が上昇し、主電源出力端ＶＡ及び待機電源出力端ＶＢが出力する電力を上昇させる。電源出力端Ｖｏが出力する電力が第３基準電圧Ｖｒｅｆ３より大きい時、第３コンパレータ３８４は、信号を送り、隔離部材３４２の信号発信端３４２０に発光信号を発出させる。信号受信端３４２２が信号発信端３４２０の発する信号を受信する時、制御器３２に直流/直流電源変換器３００を制御させ、直流/直流電源変換器３００が出力する電力の電圧値が絶えず上昇することを回避し、過電圧保護の効果を達成する。
【図面の簡単な説明】
【００２５】
【図１】従来の過電圧保護を具える電源供給装置の回路ブロック図である。
【図２】本考案の過電圧保護を具える電源供給装置の回路ブロック図である。
【考案を実施するための形態】
【００２６】
図面を参考し、本考案が開示する内容の上記及びその他の目的、特徴及び利点を分かり易くする為、本開示内容の好適実施例において、
本考案の目的、効果、特徴及び構造を更に分かり易くする為、好適実施例を挙げ、図面に合あせて以下に説明する。
【００２７】
図２は、本考案の過電圧保護を具える電源供給装置の回路ブロック図である。前記過電圧保護機能を具える電源供給装置３は、電源変換ユニット３０、制御器３２、補償ユニット３４、第１開閉部材３６、過電圧保護ユニット３８及び第２開閉部材４０から構成する。
【００２８】
電源変換ユニット３０は、主電源出力端ＶＡ及び待機電源出力端ＶＢを具え、主電源出力端ＶＡ及び待機電源出力端ＶＢは、それぞれ電圧を電源変換システム（図示せず）に出力し、電源変換システムの動作時の電力を提供する。
電源変換システムの動作が待機モードの時、待機電源出力端ＶＢは、電力を電源変換システムに入力する。電源変換システムの動作が非待機モードの時、主電源出力端電圧ＶＡ及び待機電源出力端ＶＢは、それぞれ電力を電源変換システムに出力する。即ち、電源供給ユニット３０は、電源変換システムが待機状態で動作しているか否かに基づき、待機電源出力端ＶＢのみが電力を出力するか、待機電源出力端ＶＢ及び主電源出力端ＶＡが同時に電力を出力するかを決定し、省エネルギーの効果を達成する。
【００２９】
電源変換ユニット３０は、直流/直流電源変換器３００、調節器３０２、第１センシング抵抗器Ｒｓ１及び第２センシング抵抗器Ｒｓ２を具える。
直流/直流電源変換器３００は、電源出力端Ｖｏを有する。第１センシング抵抗器Ｒｓ１は、電源出力端Ｖｏ及び主電源出力端ＶＡの間に位置し、電源出力端Ｖｏ及び主電源出力端ＶＡに電気的に接続する。調節器３０２は、電源出力端Ｖｏに電気的に接続し、第２センシング抵抗器Ｒｓ２は、調節器３０２及び待機電源出力端ＶＢの間に位置し、調節器３０２及び待機電源出力端ＶＢに電気的に接続する。本実施方式において、直流/直流電源変換器３００は、例えば、ＬＬＣ電源変換器である。
【００３０】
第１開閉部材３６は、第１センシング抵抗器Ｒｓ１及び主電源出力端ＶＡの間に電気的に接続し、電源出力端Ｖｏが出力する電力を主電源出力端ＶＡから電源変換システムに伝達するかを決定することに用いられる。
【００３１】
制御器３２は、電源変化ユニット３０の直流/直流電源変換器３００に電気的に接続し、直流/直流電源変換器３００の電源変換状態を制御することに用いられ、直流/直流電源変換器３００から出力する電力の電圧値を調整する。本実施方式において、制御器３２は、直流/直流電源変換器３００の動作周波数を制御することにより、直流/直流電源変換器３００が出力する電力の電圧値を制御する。
【００３２】
補償ユニット３４は、主電源出力端ＶＡ及び制御器３２に電気的に接続する。補償ユニット３４は、抵抗回路３４０及び隔離器３４２を具え、抵抗回路３４０は、主電源出力端電圧ＶＡに電気的に接続する。隔離器３４２は、信号発信端３４２０及び信号受信端３４２２を具え、信号発信端３４２０は、抵抗回路３４０に電気的に接続し、信号受信端３４２２は、制御器３２に電気的に接続する。
制御器３２は、隔離器３４２の信号受信端３４２２に伝達される信号に基づき、直流/直流電源変換器３００の電源変換状態を調整する本実施方式において、隔離器３４２は、光結合器を説明範例とするが、実際の実施時は、これに制限するものではない。
【００３３】
過電圧保護ユニット３８は、第１コンパレータ３８０、第２コンパレータ３８２及び第３コンパレータ３８４を具える。
第１コンパレータ３８０は、２つの入力端及び１つの出力端を具え、第１コンパレータ３８０の１つの入力端は、主電源出力端ＶＡに電気的に接続し、第１コンパレータ３８０のもう１つの入力端は、第１基準電圧Ｖｒｅｆ１を入力させ、第１コンパレータ３８０の出力端は、第１開閉部材３６に電気的に接続する。第１コンパレータ３８０は、主電源出力端ＶＡが出力する電力及び第１基準電圧Ｖｒｅｆ１の差値に基づき、第１開閉部材３６の開閉状態を制御し、直流/直流電源変換器３００が出力する電力が主電源出力端ＶＡを通過して電源変換システムに伝達されるかを決定する。
【００３４】
第２コンパレータ３８２は、２つの入力端及び１つの出力端を具え、第２コンパレータ３８２の１つの入力端は、待機電源出力端ＶＢに電気的に接続され、第２コンパレータ３８２のもう１つの入力端は、第２基準電圧Ｖｒｅｆ２を入力させ、第２コンパレータ３８２は、待機電源出力端ＶＢが出力する電圧値及び第２基準電圧Ｖｒｅｆを比較することにより、待機電源出力端ＶＢが出力する電力を調整する。
【００３５】
第３コンパレータ３８４は、２つの入力端及び出力端を具え、第３コンパレータ３８４の１つの入力端は、電源出力端Ｖｏに電気的に接続され、第３コンパレータ３８４のもう１つの入力端は、第３基準電圧Ｖｒｅｆ３に電気的に接続され、第３コンパレータ３８４の出力端は、抵抗回路３４０及び隔離器３４２の信号発信端３４２０の間に電気的に接続される。
【００３６】
第２開閉部材４０は、主電源出力端ＶＡ及び補償ユニット３４の間に電気的に接続される。
【００３７】
電源供給装置３の過電圧保護機能の試験を行う時、第２開閉部材４０が開放状態になり、電源出力端Ｖｏが出力する電力が上昇し、主電源出力端ＶＡ及び待機電源出力端ＶＢが出力する電力を上昇させる。
【００３８】
電源出力端Ｖｏが出力する電力が第３基準電圧Ｖｒｅｆ３より大きい時、第３コンパレータ３８４は、信号を送り、隔離部材３４２の信号発信端３４２０に発光させる。信号受信端３４２２が信号発信端３４２０の発する発光信号を受信すると、制御器３２に直流/直流電源変換器３００を制御させ、直流/直流電源変換器３００が出力する電力の電圧値が絶えず上昇することを回避し、過電圧保護の効果を達成する。
【００３９】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００４０】
１，３  過電圧保護を具える電源供給装置
１０，３０  電源変換ユニット
１００，３００  直流/直流電源変換器
１０２，３０２  調節器
１２，３２  制御器
１４，３４  補償ユニット
１４０，３４０  抵抗回路
１４２，３４２  隔離器
１４２０，３４２０  信号発信端
１４２２，３４２２  信号受信端
１６，３６  第１開閉部材
１８，３８  過電圧保護ユニット
１８０，３８０  第１コンパレータ
１８２，３８２  第２コンパレータ
２０，４０  第２開閉部材
３８４  第３コンパレータ
Ｒｓ１  第１センシング抵抗器
Ｒｓ２  第２センシング抵抗器
ＶＡ  主電源出力端
ＶＢ  待機電源出力端
Ｖｒｅｆ１  第１基準電圧
Ｖｒｅｆ２  第２基準電圧
Ｖｒｅｆ３  第３基準電圧
Ｖｏ  電源出力端
【図１】
0003191612.tif 000003
【図２】
0003191612.tif 000004